(57)【要約】【課題】撮像素子からの読み出し方式が異なっても出力信号に差分を発生させず均一な画質を持つ画像を出力する装置および方法を提供する。【解決手段】信号制御部における制御により、インターレース読み出し時とプログレッシブ読み出し時いずれにおいても信号処理部への出力信号を同じ色情報信号に設定する。本構成により、共通の１つの信号処理部を用いてインターレース読み出し時とプログレッシブ読み出しの２つの異なる読み出し方式に従った読み出し信号に対する同一の信号処理を行うことが可能となり、読み出し方式が異なっても垂直解像度を含めて、同等な特性の輝度信号、色信号を持つ画像を生成して出力することが可能となる。読み出し方式が異なっても出力信号に差分を発生させず均一な画質を持つ画像を出力することが可能となる。【選択図】図１４
2012049891.tif 000002
【特許請求の範囲】
【請求項１】
撮像素子からインターレース方式またはプログレッシブ方式のいずれかの方式で読み出された信号を入力し、入力信号に対して読み出し方式に応じた異なる処理を実行して信号処理部への出力信号を生成する信号制御部と、
前記信号制御部からの入力信号に対する信号処理を実行し、出力画像信号を生成する信号処理部を有し、
前記信号制御部は、
撮像素子からの読み出し方式がインターレース方式である場合と、プログレッシブ方式である場合、いずれの方式である場合も同じ色情報からなる信号を生成して前記信号処理部に出力する制御を行う撮像装置。
【請求項２】
前記信号制御部は、
プログレッシブ方式の読み出し信号である画素単位の信号を隣接水平ライン間で加算する加算器を有し、該加算器による加算処理によりインターレース方式の読み出し信号である２画素混合信号に対応する混合信号を生成する構成を有する請求項１に記載の撮像装置。
【請求項３】
前記信号制御部は、
撮像素子からの一水平ラインの信号出力期間の遅延を行う遅延回路を複数、直列接続した構成を有し、
該遅延回路を利用して、撮像素子からの出力する複数の異なる水平ライン信号を並列に前記信号処理部に出力する構成を有する請求項１に記載の撮像装置。
【請求項４】
前記信号制御部は、
撮像素子からの読み出し方式がインターレース方式またはプログレッシブ方式のいずれの方式であるかに応じて異なる制御信号を前記信号処理部に出力するためのスイッチを有し、撮像素子からの読み出し方式に応じた制御部からの制御信号に基づいて前記スイッチ設定を変更する請求項１に記載の撮像装置。
【請求項５】
前記信号制御部は、
撮像素子からの一水平ラインの信号出力期間の遅延を行う直列接続された複数の遅延回路と、
撮像素子からの一水平ラインの出力と、前記遅延回路の出力との加算を行う加算器と、前記複数の遅延回路によって生成された異なる遅延期間の遅延信号の加算を行う加算器と、
前記撮像素子から出力された遅延のない信号、または前記遅延回路のみを経由した遅延信号、または前記加算器を経由した加算信号の少なくともいずれかの信号を含む信号を選択して前記信号処理部に出力するスイッチと、
を有する請求項１に記載の撮像装置。
【請求項６】
前記信号制御部は、
撮像素子からの読み出し方式が、２画素混合信号の読み出しを行うインターレース読み出し方式に設定されている場合、
撮像素子からの遅延なし信号と、
前記遅延回路によって一水平ライン出力期間遅延された第１の遅延信号と、
２つの遅延回路を経由して生成された二水平ライン出力期間遅延された第２の遅延信号と、
を前記信号処理部に並列出力する請求項５に記載の撮像装置。
【請求項７】
前記信号制御部は、
撮像素子からの読み出し方式が、画素単位の読み出しを行うプログレッシブ読み出し方式に設定されている場合、
撮像素子からの遅延なし信号と、遅延回路によって一水平ライン出力期間遅延された第１の遅延信号を加算器によって加算した第１の加算信号と、
２つの遅延回路を経由して生成された二水平ライン出力期間遅延された第２の遅延信号と、３つの遅延回路を経由して生成された三水平ライン出力期間遅延された第３の遅延信号を加算器によって加算した第２の加算信号と、
４つの遅延回路を経由して生成された四水平ライン出力期間遅延された第４の遅延信号と、５つの遅延回路を経由して生成された五水平ライン出力期間遅延された第５の遅延信号を加算器によって加算した第３の加算信号と、
を前記信号処理部に並列出力する請求項５に記載の撮像装置。
【請求項８】
前記信号処理部は、
撮像素子の出力する複数の隣接水平ラインの出力を前記信号制御部から並列に入力する垂直周波数補正信号生成部と、
撮像素子の出力する１つの水平ラインの出力、または隣接水平ラインの加算信号を前記信号制御部から入力する水平周波数補正信号生成部と、
撮像素子の出力する複数の隣接水平ラインの出力を前記信号制御部から並列に入力する色信号生成部と、
を有する請求項１〜７いずれかに記載の撮像装置。
【請求項９】
前記色信号生成部は、
撮像素子の出力信号に基づいて各画素対応のＲＧＢ信号を生成する請求項８に記載の撮像装置。
【請求項１０】
前記撮像素子は、Ｇ（緑）、Ｍｇ（マゼンタ）、Ｙｅ（黄）、Ｃｙ（シアン）の４種類の色フィルタを持つ撮像素子である請求項１〜９いずれかに記載の撮像装置。
【請求項１１】
撮像装置において実行する信号処理方法であり、
信号制御部が、撮像素子からインターレース方式またはプログレッシブ方式のいずれかの方式で読み出された信号を入力し、入力信号に対して読み出し方式に応じた異なる処理を実行して信号処理部への出力信号を生成する信号制御ステップと、
信号処理部が、前記信号制御部からの入力信号に対する信号処理を実行し、出力画像信号を生成する信号処理ステップを実行し、
前記信号制御ステップにおいては、
撮像素子からの読み出し方式がインターレース方式である場合と、プログレッシブ方式である場合、いずれの方式である場合も同じ色情報からなる信号を生成して前記信号処理部に出力する制御を行う信号処理方法。
【請求項１２】
撮像装置において信号処理を実行させるプログラムであり、
信号制御部に、撮像素子からインターレース方式またはプログレッシブ方式のいずれかの方式で読み出された信号を入力し、入力信号に対して読み出し方式に応じた異なる処理を実行して信号処理部への出力信号を生成させる信号制御ステップと、
信号処理部に、前記信号制御部からの入力信号に対する信号処理を実行し、出力画像信号を生成させる信号処理ステップを実行させ、
前記信号制御ステップにおいては、
撮像素子からの読み出し方式がインターレース方式である場合と、プログレッシブ方式である場合、いずれの方式である場合も同じ色情報からなる信号を生成して前記信号処理部に出力する制御を行わせるプログラム。
【発明の詳細な説明】
【技術分野】
【０００１】
本発明は、撮像装置、および信号処理方法、並びにプログラムに関する。特に、撮像素子からの信号読み出しをインターレース読み出しとプログレッシブ読み出し処理の異なる方式を選択適用して実行可能とし、各方式に従った読み出し信号に対する信号処理を行う撮像装置、および信号処理方法、並びにプログラムに関する。
【背景技術】
【０００２】
カラー画像を撮影する撮像装置において利用される撮像素子にはさまざまなものがあるが、例えばビデオカメラにおいては、Ｇ（緑）、Ｍｇ（マゼンタ）、Ｙｅ（黄）、Ｃｙ（シアン）の４種類の色フィルタを市松状に配置した補色市松あるいは色差線順次とよばれるフィルタ配列の撮像素子を用いたものが多く使われている。
【０００３】
撮像装置は、撮像素子の各画素位置で取得される各補色信号（Ｇ，Ｍｇ，Ｙｅ，Ｃｙ）に基づいて、各画素位置における色信号たとえばＲＧＢを算出して出力する。Ｇ（緑）、Ｍｇ（マゼンタ）、Ｙｅ（黄）、Ｃｙ（シアン）の４種類の補色フィルタを用いることにより輝度信号感度が高く得られるというメリットがあり、このような補色ィルタは特にビデオカメラにおいて多く用いられている。
【０００４】
補色フィルタを持つ撮像素子を用いてＲＧＢ等の色信号を得る構成を開示した従来技術として、例えば特許文献１（特開昭６３−１９８４９５号公報）がある。特許文献１には、一水平ライン遅延を行う１Ｈ遅延素子を用いて、現ラインの信号と１ライン前の信号のＣｒ（２Ｒ−Ｇ），Ｃｂ（２Ｂ−Ｇ）両信号からＲＧＢ信号を演算によって求め、それぞれにホワイトバランス（ＷＢ）処理を行った後にガンマ（γ）補正処理を施すことによって色再現性の優れた色信号を得る構成を開示している。
【０００５】
しかし、このような信号処理においては、Ｇ（緑）、Ｍｇ（マゼンタ）、Ｙｅ（黄）、Ｃｙ（シアン）の４種類の色フィルタの色特性などのばらつきによって、演算後のＲＧＢ信号の特性が大きくばらつく問題があり、演算式をそのバラツキに対して個別に調整するなどの付加的な処理を実行しないと製品の色再現性のばらつきが出てしまうという問題があった。また、従来の現ラインと１ライン前のＣｒ（２Ｒ−Ｇ），Ｃｂ（２Ｂ−Ｇ）両信号からＲＧＢ信号を演算によって求めて信号から色信号を得る信号処理方法では、被写体の色が垂直方向に変化している輪郭において偽信号が生ずる問題があった。
【０００６】
一方、撮像素子からの信号読み出し方式として、撮像素子の画素データを全画素独立な信号として読み出すプログレッシブ読み出し方式と、上下隣接した２ラインの画素を混合して読み出しを行うインターレース読み出し方式が知られている。撮像素子からの信号出力信号形式がインターレース方式であるビデオカメラでは、動画撮影時のフレーム画像を静止画として取り出す場合、インターレース方式がもたらすライン毎の露光タイミングが異なることからくる動き部分のぶれが目立ってしまうとい問題が発生している。
【０００７】
そのため、撮像素子からの信号出力信号形式がインターレース方式であるビデオカメラにおいても、撮像素子をプログレッシブ動作させて静止画の切り出し時にぶれのない画像を取得するという構成が提案されているが、プログレッシブ読み出しを行うと、インターレース動作時よりも感度が低下する問題や撮像素子出力のデータレートが増加して消費電力が上がる問題などがある。
【０００８】
撮像素子のインターレース読み出しとプログレッシブ読み出しを切り替え可能な構成とし、さらに読み出し方式に応じて輝度／色信号を生成する信号処理方法を開示した従来技術として、例えば、特許文献２（特開平１１−９８５１５号公報）や特許文献３（特許３４８３７３２号）がある。しかしこれらも含め、これまでの従来技術には、インターレース読み出しとプログレッシブ読み出しを切換えて利用する場合に、それぞれの輝度信号、色信号の特性を近似させる構成を開示したものはなく、読み出し方式の異なる画像間で輝度信号、色信号特性の差が生じてしまうという問題が解決されていないというのが現状である。
【先行技術文献】
【特許文献】
【０００９】
【特許文献１】特開昭６３−１９８４９５号公報
【特許文献２】特開平１１−９８５１５号公報
【特許文献３】特許３４８３７３２号公報
【発明の概要】
【発明が解決しようとする課題】
【００１０】
本発明は、例えば、上述の問題点に鑑みてなされたものであり、インターレース読み出しとプログレッシブ読み出しを切換え可能な構成において、それぞれの異なる読み出し方式によって読み出された信号に対する信号処理の結果として得られる画像の輝度信号や色信号特性の差を解消または低減する撮像装置、および信号処理方法、並びにプログラムを提供することを目的とする。
【課題を解決するための手段】
【００１１】
本発明の第１の側面は、
撮像素子からインターレース方式またはプログレッシブ方式のいずれかの方式で読み出された信号を入力し、入力信号に対して読み出し方式に応じた異なる処理を実行して信号処理部への出力信号を生成する信号制御部と、
前記信号制御部からの入力信号に対する信号処理を実行し、出力画像信号を生成する信号処理部を有し、
前記信号制御部は、
撮像素子からの読み出し方式がインターレース方式である場合と、プログレッシブ方式である場合、いずれの方式である場合も同じ色情報からなる信号を生成して前記信号処理部に出力する制御を行う撮像装置にある。
【００１２】
さらに、本発明の撮像装置の一実施態様において、前記信号制御部は、プログレッシブ方式の読み出し信号である画素単位の信号を隣接水平ライン間で加算する加算器を有し、該加算器による加算処理によりインターレース方式の読み出し信号である２画素混合信号に対応する混合信号を生成する構成を有する。
【００１３】
さらに、本発明の撮像装置の一実施態様において、前記信号制御部は、撮像素子からの一水平ラインの信号出力期間の遅延を行う遅延回路を複数、直列接続した構成を有し、該遅延回路を利用して、撮像素子からの出力する複数の異なる水平ライン信号を並列に前記信号処理部に出力する構成を有する。
【００１４】
さらに、本発明の撮像装置の一実施態様において、前記信号制御部は、撮像素子からの読み出し方式がインターレース方式またはプログレッシブ方式のいずれの方式であるかに応じて異なる制御信号を前記信号処理部に出力するためのスイッチを有し、撮像素子からの読み出し方式に応じた制御部からの制御信号に基づいて前記スイッチ設定を変更する。
【００１５】
さらに、本発明の撮像装置の一実施態様において、前記信号制御部は、撮像素子からの一水平ラインの信号出力期間の遅延を行う直列接続された複数の遅延回路と、撮像素子からの一水平ラインの出力と、前記遅延回路の出力との加算を行う加算器と、複数の遅延回路によって生成された異なる遅延期間の遅延信号の加算を行う加算器と、前記撮像素子から出力された遅延のない信号、または前記遅延回路のみを経由した遅延信号、または前記加算器を経由した加算信号の少なくともいずれかの信号を含む信号を選択して前記信号処理部に出力するスイッチとを有する。
【００１６】
さらに、本発明の撮像装置の一実施態様において、前記信号制御部は、撮像素子からの読み出し方式が、２画素混合信号の読み出しを行うインターレース読み出し方式に設定されている場合、撮像素子からの遅延なし信号と、前記遅延回路によって一水平ライン出力期間遅延された第１の遅延信号と、２つの遅延回路を経由して生成された二水平ライン出力期間遅延された第２の遅延信号とを前記信号処理部に並列出力する。
【００１７】
さらに、本発明の撮像装置の一実施態様において、前記信号制御部は、撮像素子からの読み出し方式が、画素単位の読み出しを行うプログレッシブ読み出し方式に設定されている場合、撮像素子からの遅延なし信号と、遅延回路によって一水平ライン出力期間遅延された第１の遅延信号を加算器によって加算した第１の加算信号と、２つの遅延回路を経由して生成された二水平ライン出力期間遅延された第２の遅延信号と、３つの遅延回路を経由して生成された三水平ライン出力期間遅延された第３の遅延信号を加算器によって加算した第２の加算信号と、４つの遅延回路を経由して生成された四水平ライン出力期間遅延された第４の遅延信号と、５つの遅延回路を経由して生成された五水平ライン出力期間遅延された第５の遅延信号を加算器によって加算した第３の加算信号とを前記信号処理部に並列出力する。
【００１８】
さらに、本発明の撮像装置の一実施態様において、前記信号処理部は、撮像素子の出力する複数の隣接水平ラインの出力を前記信号制御部から並列に入力する垂直周波数補正信号生成部と、撮像素子の出力する１つの水平ラインの出力、または隣接水平ラインの加算信号を前記信号制御部から入力する水平周波数補正信号生成部と、撮像素子の出力する複数の隣接水平ラインの出力を前記信号制御部から並列に入力する色信号生成部とを有する。
【００１９】
さらに、本発明の撮像装置の一実施態様において、前記色信号生成部は、撮像素子の出力信号に基づいて各画素対応のＲＧＢ信号を生成する。
【００２０】
さらに、本発明の撮像装置の一実施態様において、前記撮像素子は、Ｇ（緑）、Ｍｇ（マゼンタ）、Ｙｅ（黄）、Ｃｙ（シアン）の４種類の色フィルタを持つ撮像素子である。
【００２１】
さらに、本発明の第２の側面は、
撮像装置において実行する信号処理方法であり、
信号制御部が、撮像素子からインターレース方式またはプログレッシブ方式のいずれかの方式で読み出された信号を入力し、入力信号に対して読み出し方式に応じた異なる処理を実行して信号処理部への出力信号を生成する信号制御ステップと、
信号処理部が、前記信号制御部からの入力信号に対する信号処理を実行し、出力画像信号を生成する信号処理ステップを実行し、
前記信号制御ステップにおいては、
撮像素子からの読み出し方式がインターレース方式である場合と、プログレッシブ方式である場合、いずれの方式である場合も同じ色情報からなる信号を生成して前記信号処理部に出力する制御を行う信号処理方法にある。
【００２２】
さらに、本発明の第３の側面は、
撮像装置において信号処理を実行させるプログラムであり、
信号制御部に、撮像素子からインターレース方式またはプログレッシブ方式のいずれかの方式で読み出された信号を入力し、入力信号に対して読み出し方式に応じた異なる処理を実行して信号処理部への出力信号を生成させる信号制御ステップと、
信号処理部に、前記信号制御部からの入力信号に対する信号処理を実行し、出力画像信号を生成させる信号処理ステップを実行させ、
前記信号制御ステップにおいては、
撮像素子からの読み出し方式がインターレース方式である場合と、プログレッシブ方式である場合、いずれの方式である場合も同じ色情報からなる信号を生成して前記信号処理部に出力する制御を行わせるプログラムにある。
【００２３】
なお、本発明のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２４】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２５】
本発明の一実施例の構成によれば、信号制御部における信号制御により、インターレース読み出し時とプログレッシブ読み出し時いずれにおいても信号処理部に出力する信号を同じ色情報からなる信号に設定する構成としている。従って、共通の１つの信号処理部を用いて、インターレース読み出し時とプログレッシブ読み出しの２つの異なる読み出し方式に従った読み出し信号に対する同一の信号処理を行うことが可能となり、読み出し方式が異なっても垂直解像度を含めて、同等な特性の輝度信号、色信号を持つ画像を生成して出力することが可能となる。すなわち、読み出し方式が異なっても出力信号に差分を発生させず均一な画質を持つ画像を出力することが可能となる。さらに、本発明により、回路規模の削減、消費電力の低減、コスト低減等のメリットも得られる。
【図面の簡単な説明】
【００２６】
【図１】プログレッシブ読み出し処理とインターレース読み出し処理について説明する図である。
【図２】撮像素子の構成と読み出し処理について説明する図である。
【図３】プログレッシブ読み出し処理の詳細シーケンスについて説明する図である。
【図４】プログレッシブ読み出し処理の詳細シーケンスについて説明する図である。
【図５】プログレッシブ読み出し処理の詳細シーケンスについて説明する図である。
【図６】インターレースＯＤＤ読み出し処理の詳細シーケンスについて説明する図である。
【図７】インターレースＯＤＤ読み出し処理の詳細シーケンスについて説明する図である。
【図８】インターレースＯＤＤ読み出し処理の詳細シーケンスについて説明する図である。
【図９】インターレースＯＤＤ読み出し処理の詳細シーケンスについて説明する図である。
【図１０】インターレースＥＶＥＮ読み出し処理の詳細シーケンスについて説明する図である。
【図１１】インターレースＥＶＥＮ読み出し処理の詳細シーケンスについて説明する図である。
【図１２】インターレースＥＶＥＮ読み出し処理の詳細シーケンスについて説明する図である。
【図１３】インターレースＥＶＥＮ読み出し処理の詳細シーケンスについて説明する図である。
【図１４】本発明の一実施例に係る撮像装置の構成と信号処理例について説明する図である。
【図１５】本発明の一実施例に係る撮像装置においてインターレース読み出し処理を実行する場合の信号の流れと処理例について説明する図である。
【図１６】本発明の一実施例に係る撮像装置においてプログレッシブ読み出し処理を実行する場合の信号の流れと処理例について説明する図である。
【発明を実施するための形態】
【００２７】
以下、図面を参照しながら、本発明の撮像装置、および信号処理方法、並びにプログラムについて説明する。説明は以下の項目順に行う。
１．撮像素子からの信号読み出し処理の概要について
２．撮像素子の構成例について
３．プログレッシブ読み出し処理とインターレース読み出し処理の具体的シーケンスについて
３−１．プログレッシブ読み出し処理について
３−２．インターレースＯＤＤ読み出し処理について
３−３．インターレースＥＶＥＮ読み出し処理について
４．撮像装置の構成と処理について
４−１．撮像装置の構成と実行する信号処理について
４−２．インターレース読み出し処理における信号処理の詳細について
４−３．プログレッシブ読み出し処理における信号処理の詳細について
【００２８】
［１．撮像素子からの信号読み出し処理の概要について］
まず、図１以下を参照して本発明の撮像装置において実行する撮像素子からの信号読み出し処理の概要について説明する。
本発明の撮像装置は、撮像素子の受光面の各画素上に例えばＧ（緑）、Ｍｇ（マゼンタ）、Ｙｅ（黄）、Ｃｙ（シアン）の４種類の補色フィルタのいずれかを配置して、これら各画素位置で取得される補色信号に基づいて、各画素位置における色信号、例えばＲＧＢの各色信号を算出する。
【００２９】
本発明の撮像装置は、撮像素子からの信号読み出し処理を、
（ａ）撮像素子の水平画素ラインを順次、読みだし２ライン混合するインターレース読み出し、
（ｂ）全画素を独立に並列に読み出すプログレッシブ読み出し、
これら２つの異なる読み出し処理を切り換えて実行することが可能な構成である。
【００３０】
これらの複数の信号読み出し処理例について、図１を参照して説明する。
なお、図１には、信号読み出し処理の説明を簡明にするために、撮像装置に構成される撮像素子の一部のみの構成、具体的には水平４画素、垂直７画素のみを抽出して示している。
【００３１】
図１には本発明の撮像装置の一実施例の撮像素子のカラーフィルタの配列と読み出し処理の組合せを示している。具体的には以下の読み出し処理例を示している。
（１）全画素を独立に読み出す「プログレッシブ読み出し」処理の例
（２）１列目＋２列目、３列目＋４列目、５列目＋６列目というように奇数ラインと偶数ラインを混合させて読み出すインターレース読み出しの一例、以下この読み出し処理を「インターレースＯＤＤ読み出し」処理として説明する。
（３）２列目＋３列目、４列目＋５列目、６列目＋７列目というように偶数ラインと奇数ラインを混合させて読み出すインターレース読み出しの一例、以下この読み出し処理を「インターレースＥＶＥＮ読み出し」処理として説明する。
【００３２】
図１（１）に示す「プログレッシブ読み出し」処理では、図１（１）に示す（画素Ｎｏ．１〜４）×（画素ラインＮｏ．１〜７）の４×７画素の画素値がＣＣＤ信号転送部に一斉に読み出され、その後、信号処理部に順次出力される。
図に示す出力信号ラインＮｏ．は、ＣＣＤ信号転送部が転送する信号順を示している。プログレッシブ読み出し処理では、各画素の信号値がＣＣＤ信号転送部において独立に転送される。なお、この信号転送シーケンスについては後段で詳細に説明する。
【００３３】
図１（２）に示す「インターレースＯＤＤ読み出し」処理では、図１（２）に示す（画素Ｎｏ．１〜４）×（画素ラインＮｏ．１〜７）の４×７画素の画素値から、１列目＋２列目、３列目＋４列目、５列目＋６列目というように奇数ラインと偶数ラインの混合信号がＣＣＤ信号転送部に読み出され、その後、この混合信号がＣＣＤ信号転送部において転送される。信号転送シーケンスの詳細については後段で説明する。
【００３４】
図１（３）に示す「インターレースＥＶＥＮ読み出し」処理では、図１（３）に示す（画素Ｎｏ．１〜４）×（画素ラインＮｏ．１〜７）の４×７画素の画素値から、２列目＋３列目、４列目＋５列目、６列目＋７列目というように偶数ラインと奇数ラインの混合信号がＣＣＤ信号転送部に読み出され、その後、この混合信号がＣＣＤ信号転送部において転送される。信号転送シーケンスの詳細については後段で説明する。
【００３５】
［２．撮像素子の構成例について］
図２は、図１（１）〜（３）に示す「プログレッシブ読み出し」、「インターレースＯＤＤ読み出し」、「インターレースＥＶＥＮ読み出し」の各読み出し処理を実行する撮像素子の構成例を示す図である。
【００３６】
図２に示す撮像素子も撮像装置に構成された撮像素子の一部の４×７画素領域のみの構成を示している。
撮像素子は、図２に示すように、光電変換を行う画素１０１、電荷を垂直方向に転送する垂直ＣＣＤ転送部１０２、水平ＣＣＤ転送部１０３、出力部１０４、出力端子１０５を有する。
【００３７】
垂直ＣＣＤ転送部１０２は、画素１０１において光電変換された電荷を入力して、垂直方向に各画素の電荷を分離転送する機能を持つ。
水平ＣＣＤ転送部１０３は、垂直ＣＣＤ送部１０２から供給される電荷を水平方向に転送する。水平ＣＣＤ転送部１０３は、水平方向の画素数の電荷を分離転送できる機能を持つ。
水平ＣＣＤ転送部１０３の電荷は、電荷を電圧に変換して出力する出力部１０４、出力端子１０５を介して信号処理部に出力される。
このように、画素１０１において撮影画像に基づいて生成された信号は、垂直ＣＣＤ転送部１０２、水平ＣＣＤ転送部１０３、出力部１０４、出力端子１０５の順番で、順次転送される。
【００３８】
［３．プログレッシブ読み出し処理とインターレース読み出し処理の具体的シーケンスについて］
次に、図３以下を参照して、図１（１）に示す「プログレッシブ読み出し」処理、図１（２）に示す「インターレースＯＤＤ読み出し」処理、図１（３）に示す「インターレースＥＶＥＮ読み出し」処理の具体的な読み出しシーケンスについて説明する。
以下では、
（１）「プログレッシブ読み出し」処理について図３〜図５、
（２）「インターレースＯＤＤ読み出し」処理について図６〜図９、
（３）「インターレースＥＶＥＮ読み出し」処理について図１０〜図１３、
以上の各図を参照して説明する。
【００３９】
（３−１．プログレッシブ読み出し処理について）
まず、図３〜図５を参照して、「プログレッシブ読み出し」処理のシーケンスについて説明する。
図３〜図５には、時間（ｔ１）〜（ｔ９）の時間経過に伴うプログレッシブ読み出し処理シーケンスの各時間の状態を示している。
【００４０】
図３（ｔ１）は、図２を参照して説明した撮像素子を用いて撮影が実行された直後の状態である。各色フィルタ（Ｍｇ，Ｃｙ，Ｇ，Ｙｅ）を介して各色対応の波長光の受光量に基づいて光電変換された電荷が画素１０１に蓄積された状態を示している。
【００４１】
次の時間（ｔ２）では、各画素１０１部から垂直ＣＣＤ転送部１０２に電荷が一斉に移動（読み出し）する。
次の時間（ｔ３）では、垂直ＣＣＤ転送部１０２に移動（読み出し）した電荷が垂直方向、すなわち図における水平ＣＣＤ転送部１０３側に一水平ライン分ずつ移動する。
【００４２】
水平ＣＣＤ転送部１０３には、画素ラインＮｏ．１の画素１０１に蓄積された画素値データが格納される。
水平ＣＣＤ転送部１０３に蓄積された一水平ライン分の電荷は、次のタイミング（ｔ４）までに出力部１０４、出力端子１０５介して出力される。
【００４３】
次のタイミングである図４（ｔ４）においては、水平ＣＣＤ転送部１０３には、垂直ＣＣＤ転送部１０２から垂直転送される次の画素値データが格納される。
この画素値データは、元々、画素ラインＮｏ．２の画素１０１に蓄積された画素値データである。垂直ＣＣＤ転送部１０２に蓄積されている画素値データは一段転送される。水平ＣＣＤ転送部１０３に蓄積された一水平ライン分の電荷は、次のタイミング（ｔ５）までに出力部１０４、出力端子１０５を介して出力される。
【００４４】
図４（ｔ５）では、水平ＣＣＤ転送部１０３には、画素ラインＮｏ．３の画素１０１の画素値データが格納される。垂直ＣＣＤ転送部１０２に蓄積されている画素値データは一段転送される。水平ＣＣＤ転送部１０３に蓄積された一水平ライン分の電荷は、次のタイミング（ｔ６）までに出力部１０４、出力端子１０５を介して出力される。
図４（ｔ６）では、水平ＣＣＤ転送部１０３には、画素ラインＮｏ．４の画素１０１の画素値データが格納される。垂直ＣＣＤ転送部１０２に蓄積されている画素値データは一段転送される。水平ＣＣＤ転送部１０３に蓄積された一水平ライン分の電荷は、次のタイミング（ｔ７）までに出力部１０４、出力端子１０５を介して出力される。
【００４５】
図５（ｔ７）では、水平ＣＣＤ転送部１０３には、画素ラインＮｏ．５の画素１０１の画素値データが格納される。垂直ＣＣＤ転送部１０２に蓄積されている画素値データは一段転送される。水平ＣＣＤ転送部１０３に蓄積された一水平ライン分の電荷は、次のタイミング（ｔ８）までに出力部１０４、出力端子１０５を介して出力される。
図５（ｔ８）では、水平ＣＣＤ転送部１０３には、画素ラインＮｏ．６の画素１０１の画素値データが格納される。垂直ＣＣＤ転送部１０２に蓄積されている画素値データは一段転送される。水平ＣＣＤ転送部１０３に蓄積された一水平ライン分の電荷は、次のタイミング（ｔ９）までに出力部１０４、出力端子１０５を介して出力される。
図５（ｔ９）では、水平ＣＣＤ転送部１０３には、画素ラインＮｏ．７の画素１０１の画素値データが格納される。水平ＣＣＤ転送部１０３に蓄積された一水平ライン分の電荷は、出力部１０４、出力端子１０５を介して出力される。
【００４６】
このようにして、順次、各水平ラインの画素データ、すなわち画素１０１において光電変換された電荷に対応する画素値信号は、垂直ＣＣＤ転送部１０２、水平ＣＣＤ転送部１０３、出力部１０４、出力端子１０５の順番で、順次転送される。
【００４７】
このように、「プログレッシブ読み出し」処理では、１水平周期毎に垂直ＣＣＤ転送部１０２において１段垂直転送を行い水平ＣＣＤ転送部１０３に電荷を移動して水平有効時間に電荷を出力部１０４を介して出力端子１０５から順次画素毎の信号を出力する。
【００４８】
（３−２．インターレースＯＤＤ読み出し処理について）
次に、図６〜図９を参照して、「インターレースＯＤＤ読み出し」処理のシーケンスについて説明する。
図６〜図９には、図３〜図５と同様、時間（ｔ１）〜（ｔ１１）の時間経過に伴うインターレースＯＤＤ読み出し処理シーケンスの各時間の状態を示している。
【００４９】
図６（ｔ１）は、図２を参照して説明した撮像素子を用いて撮影が実行された直後の状態である。各色フィルタ（Ｍｇ，Ｃｙ，Ｇ，Ｙｅ）を介して各色対応の波長光の受光量に基づいて光電変換された電荷が画素１０１に蓄積された状態を示している。
【００５０】
次の時間（ｔ２）では、各画素１０１部の偶数ライン（ラインＮｏ．＝２，４，６，・・・）のみから垂直ＣＣＤ転送部１０２に電荷が移動（読み出し）する。
次の時間（ｔ３）では、垂直ＣＣＤ転送部１０２に移動（読み出し）した電荷が、水平ＣＣＤ転送部１０３側に一水平ライン分ずつ移動する。偶数ライン（ラインＮｏ．＝２，４，６，・・・）の画素値を示す電荷は、それぞれ１つ上の奇数ラインの横の位置に設定される。
【００５１】
次のタイミングである図７（ｔ４）においては、奇数ライン（ラインＮｏ．＝１，３，５，・・・）の画素の電荷を垂直ＣＣＤ転送部１０２に移動（読み出し）する。この処理により、垂直ＣＣＤ転送部１０２では、
ラインＮｏ．１＋２の混合画素値に対応する加算電荷値、
ラインＮｏ．３＋４の混合画素値に対応する加算電荷値、
ラインＮｏ．５＋６の混合画素値に対応する加算電荷値、
このような電荷が蓄積される。
【００５２】
次の時間（ｔ５）では、垂直ＣＣＤ転送部１０２に格納された以下のデータ、すなわち、
ラインＮｏ．１＋２の混合画素値に対応する加算電荷値、
ラインＮｏ．３＋４の混合画素値に対応する加算電荷値、
ラインＮｏ．５＋６の混合画素値に対応する加算電荷値、
ラインＮｏ．７の画素値、
これらが、水平ＣＣＤ転送部１０３側にライン１つ分、転送される。
ラインＮｏ．１＋２の混合画素値に対応する加算電荷値は、水平ＣＣＤ転送部１０３に蓄積され、次のタイミング（ｔ６）までに出力部１０４、出力端子１０５を介して出力される。
なお、図では簡略化して７ラインのみを示しているが、実際は、数１００〜数１０００ラインが設定され、図に示すライン７のように単独画素値が垂直ＣＣＤ転送部１０２を転送されるのはペアの設定されない最終ラインが存在する場合のみである。
【００５３】
時間（ｔ６）では、
ラインＮｏ．３＋４の混合画素値に対応する加算電荷値、
ラインＮｏ．５＋６の混合画素値に対応する加算電荷値、
ラインＮｏ．７の画素値、
これらが、水平ＣＣＤ転送部１０３側にライン１つ分、転送される。
【００５４】
図８（ｔ７）でも、
ラインＮｏ．３＋４の混合画素値に対応する加算電荷値、
ラインＮｏ．５＋６の混合画素値に対応する加算電荷値、
ラインＮｏ．７の画素値、
これらが、水平ＣＣＤ転送部１０３側に転送される。
ラインＮｏ．３＋４の混合画素値に対応する加算電荷値は、水平ＣＣＤ転送部１０３に蓄積され、次のタイミング（ｔ８）までに出力部１０４、出力端子１０５を介して出力される。
【００５５】
図８（ｔ８）では、
ラインＮｏ．５＋６の混合画素値に対応する加算電荷値、
ラインＮｏ．７の画素値、
これらが、水平ＣＣＤ転送部１０３側にライン１つ分、転送される。
図９（ｔ９）では、
ラインＮｏ．５＋６の混合画素値に対応する加算電荷値、
ラインＮｏ．７の画素値、
これらが、水平ＣＣＤ転送部１０３側に転送される。
ラインＮｏ．５＋６の混合画素値に対応する加算電荷値は、水平ＣＣＤ転送部１０３に蓄積され、次のタイミング（ｔ１０）までに出力部１０４、出力端子１０５を介して出力される。
図９（ｔ１０）では、
ラインＮｏ．７の画素値が、水平ＣＣＤ転送部１０３側にライン１つ分、転送される。
図９（ｔ１１）では、
ラインＮｏ．７の画素値、
これらが、水平ＣＣＤ転送部１０３側に転送される。
ラインＮｏ．５＋６の混合画素値に対応する加算電荷値は、水平ＣＣＤ転送部１０３に蓄積され、出力部１０４、出力端子１０５を介して出力される。
【００５６】
このように、インターレースＯＤＤ読み出し処理では、１列目＋２列目、３列目＋４列目、５列目＋６列目というように奇数ラインと偶数ラインの電荷を混合する。この混合した信号電荷を、１水平周期毎に２段垂直転送を行い水平転送路に電荷を移動して水平有効時間に電荷を出力部１０４を介して出力端子１０５から順次画素毎の信号を出力する。この処理により、１列目＋２列目、３列目＋４列目、５列目＋６列目というように偶数ラインと奇数ラインの混合信号が信号処理部に供給されることになる。
【００５７】
（３−３．インターレースＥＶＥＮ読み出し処理について）
次に、図１０〜図１３を参照して、「インターレースＥＶＥＮ読み出し」処理のシーケンスについて説明する。
図１０〜図１３には、時間（ｔ１）〜（ｔ１０）の時間経過に伴うインターレースＥＶＥＮ読み出し処理シーケンスの各時間の状態を示している。
【００５８】
図１０（ｔ１）は、図２を参照して説明した撮像素子を用いて撮影が実行された直後の状態である。各色フィルタ（Ｍｇ，Ｃｙ，Ｇ，Ｙｅ）を介して各色対応の波長光のに基づいて光電変換された電荷が画素１０１に蓄積された状態を示している。
【００５９】
次の時間（ｔ２）では、各画素１０１部の奇数ライン（ラインＮｏ．＝１，３，５，・・・）のみから垂直ＣＣＤ転送部１０２に電荷が移動（読み出し）する。
次の時間（ｔ３）では、垂直ＣＣＤ転送部１０２に移動（読み出し）した電荷が、水平ＣＣＤ転送部１０３側に一水平ライン分ずつ移動する。奇数ライン（ラインＮｏ．＝１，３，５，・・・）の画素値を示す電荷は、それぞれ１つ上の偶数ラインの横の位置に設定される。
【００６０】
次のタイミングである図１１（ｔ４）においては、偶数ライン（ラインＮｏ．＝２，４，６，・・・）の画素の電荷を垂直ＣＣＤ転送部１０２に移動（読み出し）する。この処理により、垂直ＣＣＤ転送部１０２では、
ラインＮｏ．２＋３の混合画素値に対応する加算電荷値、
ラインＮｏ．４＋５の混合画素値に対応する加算電荷値、
ラインＮｏ．６＋７の混合画素値に対応する加算電荷値、
このような電荷が蓄積される。
水平ＣＣＤ転送部１０３に蓄積された最上段のラインＮｏ．１の画素値（電荷）は、次のタイミング（ｔ５）までに、出力部１０４、出力端子１０５を介して出力される。
【００６１】
次の時間（ｔ５）では、垂直ＣＣＤ転送部１０２に格納された以下のデータ、すなわち、
ラインＮｏ．２＋３の混合画素値に対応する加算電荷値、
ラインＮｏ．４＋５の混合画素値に対応する加算電荷値、
ラインＮｏ．６＋７の混合画素値に対応する加算電荷値、
これらが、水平ＣＣＤ転送部１０３側にライン１つ分、転送される。
【００６２】
図１１（ｔ６）でも、
ラインＮｏ．２＋３の混合画素値に対応する加算電荷値、
ラインＮｏ．４＋５の混合画素値に対応する加算電荷値、
ラインＮｏ．６＋７の混合画素値に対応する加算電荷値、
これらが、水平ＣＣＤ転送部１０３側にライン１つ分、転送される。
ラインＮｏ．２＋３の混合画素値に対応する加算電荷値は、水平ＣＣＤ転送部１０３に蓄積され、次のタイミング（ｔ７）までに、出力部１０４、出力端子１０５を介して出力される。
【００６３】
図１２（ｔ７）では、
ラインＮｏ．４＋５の混合画素値に対応する加算電荷値、
ラインＮｏ．６＋７の混合画素値に対応する加算電荷値、
これらが、水平ＣＣＤ転送部１０３側にライン１つ分、転送される。
図１２（ｔ８）では、
ラインＮｏ．４＋５の混合画素値に対応する加算電荷値、
ラインＮｏ．６＋７の混合画素値に対応する加算電荷値、
これらが、水平ＣＣＤ転送部１０３側に転送される。
ラインＮｏ．４＋５の混合画素値に対応する加算電荷値は、水平ＣＣＤ転送部１０３に蓄積され、次のタイミング（ｔ９）までに、出力部１０４、出力端子１０５を介して出力される。
【００６４】
図１３（ｔ９）では、
ラインＮｏ．６＋７の混合画素値に対応する加算電荷値、
これらが、水平ＣＣＤ転送部１０３側にライン１つ分、転送される。
図１３（ｔ１０）では、
ラインＮｏ．６＋７の混合画素値に対応する加算電荷値が、水平ＣＣＤ転送部１０３に蓄積され、出力部１０４、出力端子１０５を介して出力される。
【００６５】
このように、インターレースＥＶＥＮ読み出し処理では、２列目＋３列目、４列目＋５列目、６列目＋７列目というように偶数ラインと奇数ラインの電荷を混合する。この混合した信号電荷を、１水平周期毎に２段垂直転送を行い水平転送路に電荷を移動して水平有効時間に電荷を出力部１０４を介して出力端子１０５から順次画素毎の信号を出力する。この処理により、２列目＋３列目、４列目＋５列目、６列目＋７列目というように偶数ラインと奇数ラインの混合信号が信号処理部に供給されることになる。
【００６６】
［４．撮像装置の構成と処理について］
（４−１．撮像装置の構成と実行する信号処理について）
図１４に、本発明の撮像装置の一実施例のブロック図を示す。
図１４に示す撮像装置２００は、撮像素子２０２からの信号読み出しを「プログレッシブ読み出し」、「インターレース読み出し」いずれかの設定に自在に切り替え可能な構成を持つ。なお、インターレース読み出しの場合は、前述したように、ＯＤＤ読み出し、ＥＶＥＮ読み出しの２つの態様があるが、例えば、１垂直同期毎にインターレースＯＤＤ読み出し、インターレースＥＶＥＮ読み出し、インターレースＯＤＤ読み出し、インターレースＥＶＥＮ読み出しと交番させて動作させる処理が実行される。
【００６７】
「プログレッシブ読み出し」と「インターレース読み出し」の読み出しモードの切り替えは、例えば入力部２１５を介したユーザ入力をマイコン（制御部）２１４によって検出し、マイコン（制御部）２１４がタイミングジェネレータ（ＴＧ）２１３を介し撮像素子２０２の制御を行い、読み出しモードの切り替え制御を行う。
【００６８】
図１４に示す撮像装置２００の処理について説明する。
レンズ２０１を介して入射した光は撮像素子２０２で光電変換され、入力像に対応する電気信号を出力する。この出力信号は、図２の撮像素子の出力端子１０５の出力に対応する。なお、先に図３〜図１３を参照して説明したように、撮像素子２０２の出力は、「プログレッシブ読み出し」処理と、「インターレース読み出し」処理とでは、異なる信号となる。大きな差異は、例えば「プログレッシブ読み出し」処理では画素個別の信号が順次、出力されるが、「インターレース読み出し」処理では２画素の混合信号が出力されることである。
【００６９】
撮像素子２０２の出力信号は、アナログフロントエンド２０３で相関２重サンプリング処理とゲイン制御（ＡＧＣ）処理を行った後にアナログデジタル（ＡＤ）変換を行いデジタル信号に変換される。
【００７０】
デジタル信号は、図１４に示す信号制御部２５０に入力される。
図１４に示すように、信号制御部２５０は、
撮像素子２０２からの一水平ラインの信号出力期間の遅延を行う直列接続された複数の遅延回路２０４ａ〜２０４ｅと、
撮像素子２０２からの一水平ラインの出力と、遅延回路２０４ａの出力との加算を行う加算器２０５ａと、複数の遅延回路によって生成された異なる遅延期間の遅延信号の加算を行う加算器２０５ｂ，２０５ｃと、
撮像素子から出力された遅延のない信号、または遅延回路のみを経由した遅延信号、または加算器を経由した加算信号の少なくともいずれかの信号を含む信号を選択して信号処理部２７０に出力するスイッチ２０６ａ〜ｃを有する。
【００７１】
アナログフロントエンド２０３出力のデジタル撮像信号は、信号制御部２５０の１Ｈ遅延回路２０４ａと加算器２０５ａ、切り替えスイッチ２０６ａの一方の入力端子である「Ｉ側入力端子」に入力される。
【００７２】
なお、図に示すスイッチ２０６ａ〜ｃの［Ｉ］は「インターレース」、［Ｐ］は「プログレッシブ」を示す。
「インターレース読み出し」を実行する場合は、スイッチ２０６ａ〜ｃを［Ｉ］側に設定し、「プログレッシブ読み出し」を実行する場合は、スイッチ２０６ａ〜ｃを［Ｐ］側に設定する。これらのスイッチ制御はマイコン（制御部）２１４によって実行される。
信号制御部２５０の１Ｈ遅延回路２０４ａ〜ｅの１Ｈは１水平期間、すなわち撮像信号の１つの水平ラインの読み出し期間に相当する時間を意味し、１Ｈ遅延回路２０４ａ〜ｅ各々は、１ラインの読み出し期間分の信号遅延処理を実行する。
【００７３】
１Ｈ遅延回路２０４ａの出力信号は、１Ｈ遅延回路２０４ｂと加算器２０５ａ、切り替えスイッチ２０６ｂのＩ側入力端子に入力される。
１Ｈ遅延回路２０４ｂ出力信号は、１Ｈ遅延回路２０４ｃと加算器２０５ｂ、切り替えスイッチ２０６ｃのＩ側入力端子に入力される。
１Ｈ遅延回路２０４ｃの出力信号は、１Ｈ遅延回路２０４ｄと加算器２０５ｂに入力される。
１Ｈ遅延回路２０４ｄの出力信号は、１Ｈ遅延回路２０４ｅと加算器２０５ｃに入力される。
１Ｈ遅延回路２０４ｅの出力信号は、加算器２０５ｃに入力される。
【００７４】
加算器２０５ａの出力は切り替えスイッチ２０６ａのＰ側入力端子に入力される。
加算器２０５ｂの出力は切り替えスイッチ２０６ｂのＰ側入力端子に入力される。
加算器２０５ｃの出力は切り替えスイッチ２０６ｃのＰ側入力端子に入力される。
【００７５】
さらに、切り替えスイッチ２０６ａの出力は、信号処理部２７０のＲＧＢ信号生成部２０７と垂直周波数補正信号生成部２０８に入力される。
切り替えスイッチ２０６ｂの出力は、ＲＧＢ信号生成部２０７と垂直周波数補正信号生成部２０８及び水平周波数補正信号生成部２０９に入力される。
切り替えスイッチ２０６ｃの出力は、ＲＧＢ信号生成部２０７と垂直周波数補正信号生成部２０８に入力される。
【００７６】
ＲＧＢ信号生成部２０７は切り替えスイッチ２０６ａ，２０６ｂ，２０６ｃの出力信号を入力し、Ｒ信号、Ｇ信号、Ｂ信号を生成する。
垂直周波数補正信号生成部２０８の出力と水平周波数補正信号生成部２０９の出力は周波数補正演算部２１０に入力される。周波数補正演算部２１０は、入力信号に基づいて垂直方向及び水平方向に適切な周波数補正処理された輝度信号を生成して、輝度信号処理部２１１に入力する。輝度信号処理部２１１は、γ補正処理、ピーククリップなどのその他の輝度信号に対する適切な処理を施して、撮像装置の出力信号である輝度信号を生成して出力する。
【００７７】
ＲＧＢ信号生成部２０７の生成したＲＧＢ信号は色信号処理部２１２に入力される。色信号処理部２１２は、ＲＧＢ信号生成部２０７の生成したＲＧＢ信号に対してホワイトバランス（ＷＢ）制御、ガンマ（γ）補正処理、色差信号生成処理などの色信号への必要な処理を施し、撮像装置の出力信号である色信号を生成して出力する。
【００７８】
タイミング信号生成部（ＴＧ）２１３は、撮像素子２０２を駆動する信号を生成する。このタイミング信号生成部（ＴＧ）２１３の出力信号を変えることにより、撮像素子２０２の信号読み出し動作を、インターレースＯＤＤ読み出し、インターレースＥＶＥＮ読み出し、プログレッシブ読み出し、それぞれの動作に設定することが出来る。なお、各回路の動作は、マイコン（制御部）２１４によって制御される。
【００７９】
本発明に従った図１４に示す撮像装置２００は、信号制御部２５０において、撮像素子２０２からインターレース方式またはプログレッシブ方式のいずれかの方式で読み出された信号を入力し、入力信号に対して読み出し方式に応じた異なる処理を実行して信号処理部２７０への出力信号を生成する。具体的には、信号制御部２５０は、撮像素子２０２からの読み出し方式がインターレース方式である場合と、プログレッシブ方式である場合、いずれの方式である場合も同じ色情報からなる信号を生成して信号処理部２７０に出力する制御を行う。
以下、インターレース読み出し処理における信号処理とプログレッシブ読み出し処理における信号処理の詳細について説明する。
【００８０】
（４−２．インターレース読み出し処理における信号処理の詳細について）
次にこの撮像装置の動作例を、インターレース読み出し動作時とプログレッシブ読み出し動作時に分けて説明する。
インターレース読み出し動作時は、タイミング信号生成部（ＴＧ）２１３によって、撮像素子２０２の動作を、１垂直同期毎にインターレースＯＤＤ読み出し、インターレースＥＶＥＮ読み出し、インターレースＯＤＤ読み出し、インターレースＥＶＥＮ読み出しと交番させて動作させる。
【００８１】
インターレース読み出し時の信号の流れについて図１５を参照して説明する。図１５の信号制御部２５０に示す太線部が、インターレース読み出し時の信号の流れである。切り替えスイッチ２０６ａ、２０６ｂ、２０６ｃは、Ｉ側（インターレース側）の入力を選択する。
【００８２】
図１５から理解されるように、インターレース読み出し動作時は、信号制御部２５０内の１Ｈ遅延回路２０４ａと１Ｈ遅延回路２０４ｂのみが利用され、その他の１Ｈ遅延回路２０４ｃ〜２０４ｅと、加算器２０５ａ〜２０５ｃは利用されない。
【００８３】
（ａ）切り替えスイッチ２０６ａは、撮像素子からの遅延のない読み出し信号を出力する。
（ｂ）切り替えスイッチ２０６ｂは、撮像素子からの１Ｈ遅延された読み出し信号を出力する。
（ｃ）切り替えスイッチ２０６ｃは、撮像素子からの２Ｈ遅延された読み出し信号を出力する。
【００８４】
信号処理部２７０の垂直周波数補正信号生成部２０８と、ＲＧＢ信号生成部２０７には、上記（ａ）〜（ｃ）の信号、すなわち、撮像素子からの、
（信号ａ）遅延なし信号（切り替えスイッチ２０６ａの出力）、
（信号ｂ）１Ｈ遅延信号（切り替えスイッチ２０６ｂの出力）、
（信号ｃ）２Ｈ遅延信号（切り替えスイッチ２０６ｃの出力）、
が入力される。
【００８５】
また、信号処理部２７０の水平周波数補正信号生成部２０９には、上記（ｂ）の信号、すなわち、撮像素子からの、
（信号ｂ）１Ｈ遅延信号（切り替えスイッチ２０６ｂの出力）、
が入力される。
出力信号の水平ラインＮｏ．が偶数ラインであっても、奇数ラインであっても、切り替えスイッチ２０６ｂの出力信号は、隣接２画素を混合するとＭｇ＋Ｇ＋Ｃｙ＋Ｙｅ＝２Ｒ＋３Ｇ＋２Ｂとなる。
【００８６】
なお、
撮像素子によって取得されるＧ（緑）、Ｍｇ（マゼンタ）、Ｙｅ（黄）、Ｃｙ（シアン）の４種類の補色と、出力色信号であるＲ（赤）、Ｇ（緑）、Ｂ（青）との関係は、
Ｙｅ＝Ｇ＋Ｒ
Ｍｇ＝Ｒ＋Ｂ
Ｃｙ＝Ｇ＋Ｂ
上記関係にある。
【００８７】
インターレース読み出し処理のシーケンスは、図６〜図１３を参照して説明した通りであり、読み出し信号は、隣接２画素を混合すると、常に、
Ｍｇ＋Ｇ＋Ｃｙ＋Ｙｅ
である。上記関係式に従って変換すると、
Ｍｇ＋Ｇ＋Ｃｙ＋Ｙｅ
＝（Ｒ＋Ｂ）＋Ｇ＋（Ｇ＋Ｂ）＋（Ｇ＋Ｒ）
＝２Ｒ＋３Ｇ＋２Ｂ
となる。
切り替えスイッチ２０６ｂの出力信号は、隣接２画素を混合すると、
Ｍｇ＋Ｇ＋Ｃｙ＋Ｙｅ
＝２Ｒ＋３Ｇ＋２Ｂとなる。
水平周波数補正信号生成部２０９は、切り替えスイッチ２０６ｂの出力信号に基づいて算出される上記信号を輝度信号の低域信号として周波数特性を適切な特性に調整する水平周波数補正信号を生成して周波数補正演算部２１０に出力する。
【００８８】
また、垂直周波数補正信号生成部２０８は、
（信号ａ）遅延なし信号（切り替えスイッチ２０６ａの出力）、
（信号ｂ）１Ｈ遅延信号（切り替えスイッチ２０６ｂの出力）、
（信号ｃ）２Ｈ遅延信号（切り替えスイッチ２０６ｃの出力）、
を入力する。
【００８９】
垂直周波数補正信号生成部２０８は、これらの信号から、
垂直周波数補正信号＝（１Ｈ遅延信号）×２−（（遅延なし信号）＋（２Ｈ遅延信号））を生成して、周波数補正演算部２１０に出力する。
【００９０】
周波数補正演算部２１０は、
水平周波数補正信号生成部２０９から出力される水平周波数補正信号、
垂直周波数補正信号生成部２０８から出力される垂直周波数補正信号、
これらを入力して、適切な周波数補正がされた輝度信号を作り、輝度信号処理部２１１に入力し、γ処理、ピーククリップなどのその他の輝度信号に対する適切な処理を施して、撮像装置の輝度出力信号を生成して出力する。
【００９１】
次に、インターレース読み出し処理における色信号生成処理について説明する。
ＲＧＢ信号生成部２０７には、撮像素子からの以下の信号が入力される。
（信号ａ）遅延なし信号（切り替えスイッチ２０６ａの出力）、
（信号ｂ）１Ｈ遅延信号（切り替えスイッチ２０６ｂの出力）、
（信号ｃ）２Ｈ遅延信号（切り替えスイッチ２０６ｃの出力）、
これらの信号ａ〜ｃが入力される。
【００９２】
先に、図６〜図９、および図１０〜図１３を参照して説明したように、インターレースＯＤＤ読み出しとインターレースＥＶＥＮ読み出しのいずれの場合も、
（Ｇ＋Ｃｙ），（Ｍｇ＋Ｙｅ），（Ｇ＋Ｃｙ），（Ｍｇ＋Ｙｅ）と出力される行、
（Ｍｇ＋Ｃｙ），（Ｇ＋Ｙｅ），（Ｍｇ＋Ｃｙ），（Ｇ＋Ｙｅ）と出力される行、
ここれらの行が設定される。
【００９３】
それぞれの撮像素子出力の隣接した２画素の差分をとると、
（Ｇ＋Ｃｙ）−（Ｍｇ＋Ｙｅ）、または、
（Ｍｇ＋Ｃｙ）−（Ｇ＋Ｙｅ）、
これらの信号が得られる。先に説明した関係式、すなわち、
Ｙｅ＝Ｇ＋Ｒ
Ｍｇ＝Ｒ＋Ｂ
Ｃｙ＝Ｇ＋Ｂ
上記関係式に従って変換すると、以下の信号が取得されることになる。
（Ｇ＋Ｃｙ）−（Ｍｇ＋Ｙｅ）＝（Ｇ＋Ｇ＋Ｂ）−（Ｒ＋Ｂ＋Ｇ＋Ｒ）＝Ｇ−２Ｒ、
（Ｍｇ＋Ｃｙ）−（Ｇ＋Ｙｅ）＝（Ｒ＋Ｂ＋Ｇ＋Ｂ）−（Ｇ＋Ｇ＋Ｒ）＝２Ｂ−Ｇ、
これらの２種類の信号が得られる。
【００９４】
ＲＧＢ信号生成部２０７では、
（信号ａ）遅延なし信号（切り替えスイッチ２０６ａの出力）、
（信号ｂ）１Ｈ遅延信号（切り替えスイッチ２０６ｂの出力）、
（信号ｃ）２Ｈ遅延信号（切り替えスイッチ２０６ｃの出力）、
これらの各信号を入力して、
まず、
（１）（信号ｂ）＝（１Ｈ遅延信号）、
（２）（信号ａ）＋（信号ｃ）＝（遅延なし信号）＋（２Ｈ遅延信号）、
（３）（信号ｂ）×２＋（（信号ａ）＋（信号ｃ））＝（１Ｈ遅延信号）×２＋（（遅延なし信号）＋（２Ｈ遅延信号））
これらの３種類の信号を生成する。
【００９５】
（１）（信号ｂ）＝１Ｈ遅延信号＝２Ｒ−Ｇの行では、
（２）（信号ａ）＋（信号ｃ）＝（遅延なし信号）＋（２Ｈ遅延信号）＝（２Ｂ−Ｇ）×２、
（３）（信号ｂ）×２＋（（信号ａ）＋（信号ｃ））＝（１Ｈ遅延信号）×２＋（（遅延なし信号）＋（２Ｈ遅延信号））＝（２Ｒ＋３Ｇ＋２Ｂ）×２、
これらの信号を取得することができる。
【００９６】
また、
（１）（信号ｂ）＝１Ｈ遅延信号＝２Ｂ−Ｇの行では、
（２）（信号ａ）＋（信号ｃ）＝（遅延なし信号）＋（２Ｈ遅延信号）＝（２Ｒ−Ｇ）×２、
（３）（信号ｂ）×２＋（（信号ａ）＋（信号ｃ））＝（１Ｈ遅延信号）×２＋（（遅延なし信号）＋（２Ｈ遅延信号））＝（２Ｒ＋３Ｇ＋２Ｂ）×２、
これらの信号を取得することができる。
【００９７】
従って、いずれの場合も、２Ｒ−Ｇ、２Ｂ−Ｇ、２Ｒ＋３Ｇ＋２Ｂの３種類の信号が得られることになり、以下の関係式に従って色信号Ｒ，Ｇ，Ｂを算出することができる。
Ｒ＝Ｒｍａｔ１×（２Ｒ−Ｇ）信号＋Ｒｍａｔ２×（２Ｂ−Ｇ）信号＋Ｒｍａｔ３×（２Ｒ＋３Ｇ＋２Ｂ）信号
Ｇ＝Ｇｍａｔ１×（２Ｒ−Ｇ）信号＋Ｇｍａｔ２×（２Ｂ−Ｇ）信号＋Ｇｍａｔ３×（２Ｒ＋３Ｇ＋２Ｂ）信号
Ｂ＝Ｂｍａｔ１×（２Ｒ−Ｇ）信号＋Ｂｍａｔ２×（２Ｂ−Ｇ）信号＋Ｂｍａｔ３×（２Ｒ＋３Ｇ＋２Ｂ）信号
なお、Ｒｍａｔ１〜Ｂｍａｔ３はあらかじめ規定した係数として利用されるパラメータ（マトリックス係数）である。
【００９８】
ＲＧＢ信号生成部２０７では、
（信号ａ）遅延なし信号（切り替えスイッチ２０６ａの出力）、
（信号ｂ）１Ｈ遅延信号（切り替えスイッチ２０６ｂの出力）、
（信号ｃ）２Ｈ遅延信号（切り替えスイッチ２０６ｃの出力）、
これらの各信号を入力して、上記演算を行ってＲＧＢ信号を生成して、色信号処理部２１２に生成したＲＧＢ信号を出力する。
色信号処理部２１２は、入力信号に対するホワイトバランス（ＷＢ）制御、γ処理、色差信号生成処理等の色信号への必要な処理を施して、撮像装置の出力信号としての色信号を生成して出力する。
【００９９】
図１５に示すように、撮像素子２０２からの読み出し方式が、２画素混合信号の読み出しを行うインターレース読み出し方式に設定されている場合、信号制御部２５０は、撮像素子からの遅延なし信号と、遅延回路によって一水平ライン出力期間遅延された第１の遅延信号と、２つの遅延回路を経由して生成された二水平ライン出力期間遅延された第２の遅延信号とを信号処理部２５０に並列出力する。
【０１００】
信号処理部２７０は、垂直周波数補正信号生成部２０８とＲＧＢ信号生成部２０７において撮像素子２０２の出力する複数の隣接水平ラインの出力を信号制御部２５０から並列に入力し、水平周波数補正信号生成部２０９は、撮像素子の出力する１つの水平ラインの出力を信号制御部２５０から入力して処理を行う。
【０１０１】
（４−３．プログレッシブ読み出し処理における信号処理の詳細について）
次に、プログレッシブ読み出し時の信号の流れについて図１６を参照して説明する。図１６の信号制御部２５０に示す太線部が、プログレッシブ読み出し時の信号の流れである。切り替えスイッチ２０６ａ、２０６ｂ、２０６ｃは、Ｐ側（プログレッシブ側）の入力を選択する。
【０１０２】
図１６から理解されるように、プログレッシブ読み出し動作時は、信号制御部２５０内の１Ｈ遅延回路２０４ａ〜１Ｈ遅延回路２０４ｅ、加算器２０５ａ〜２０５ｃのすべてが利用される。
【０１０３】
（ａ）切り替えスイッチ２０６ａは、撮像素子からの遅延のない読み出し信号と、撮像素子からの１Ｈ遅延された読み出し信号の加算値を出力する。
（ｂ）切り替えスイッチ２０６ｂは、撮像素子からの２Ｈ遅延された読み出し信号と、撮像素子からの３Ｈ遅延された読み出し信号の加算値を出力する。
（ｃ）切り替えスイッチ２０６ｃは、撮像素子からの４Ｈ遅延された読み出し信号と、撮像素子からの５Ｈ遅延された読み出し信号の加算値を出力する。
【０１０４】
信号処理部２７０の垂直周波数補正信号生成部２０８と、ＲＧＢ信号生成部２０７には、上記（ａ）〜（ｃ）の信号、すなわち、撮像素子からの、
（信号ａ）遅延なし信号＋１Ｈ遅延信号（切り替えスイッチ２０６ａの出力）、
（信号ｂ）２Ｈ遅延信号＋３Ｈ遅延信号（切り替えスイッチ２０６ｂの出力）、
（信号ｃ）４Ｈ遅延信号＋５Ｈ遅延信号（切り替えスイッチ２０６ｃの出力）、
が入力される。
【０１０５】
また、信号処理部２７０の水平周波数補正信号生成部２０９には、上記（ｂ）の信号、すなわち、撮像素子からの、
（信号ｂ）２Ｈ遅延信号＋３Ｈ遅延信号（切り替えスイッチ２０６ｂの出力）、
が入力される。
【０１０６】
プログレッシブ読み出し動作時は、タイミング信号生成回路（ＴＧ）２１３によって、撮像素子２０２の動作を常に、プログレッシブ読み出しで動作させる。切り替えスイッチ２０６ａ、２０６ｂ、２０６ｃは、Ｐ側の入力を選択して、加算器２０５ａ，２０５ｂ，２０５ｃの出力信号を選択して信号処理部２７０に出力する。
【０１０７】
この処理において、出力信号の水平ラインＮｏ．が偶数ラインであっても、奇数ラインであっても、切り替えスイッチ２０６ｂの出力信号は、隣接２画素を混合するとＭｇ＋Ｇ＋Ｃｙ＋Ｙｅとなる。
【０１０８】
すなわち、
（信号ｂ）２Ｈ遅延信号＋３Ｈ遅延信号（切り替えスイッチ２０６ｂの出力）は、図３〜図５を参照して説明したプログレッシブ読み出し処理シーケンスにおいて、例えば、
図３の（ｔ３）と図４の（ｔ４）の水平ＣＣＤ転送部１０３の格納値の加算値、
図４の（ｔ４）と図４の（ｔ５）の水平ＣＣＤ転送部１０３の格納値の加算値、
図４の（ｔ５）と図４の（ｔ６）の水平ＣＣＤ転送部１０３の格納値の加算値、
例えばこれらの値となる。
【０１０９】
従って、切り替えスイッチ２０６ｂの出力信号は、隣接２画素を混合すると、
Ｍｇ＋Ｇ＋Ｃｙ＋Ｙｅ
となる。この切り替えスイッチ２０６ｂの出力信号は、先に図１５を参照して説明したインターレース読み出し処理における切り替えスイッチ２０６ｂの出力信号と同じである。
【０１１０】
先に説明したように、撮像素子によって取得されるＧ（緑）、Ｍｇ（マゼンタ）、Ｙｅ（黄）、Ｃｙ（シアン）の４種類の補色と、出力色信号であるＲ（赤）、Ｇ（緑）、Ｂ（青）との関係は、
Ｙｅ＝Ｇ＋Ｒ
Ｍｇ＝Ｒ＋Ｂ
Ｃｙ＝Ｇ＋Ｂ
上記関係にある。
従って、切り替えスイッチ２０６ｂの出力信号は、隣接２画素を混合するとＭｇ＋Ｇ＋Ｃｙ＋Ｙｅ＝２Ｒ＋３Ｇ＋２Ｂとなる。
【０１１１】
水平周波数補正信号生成部２０９は、切り替えスイッチ２０６ｂの出力信号に基づいて算出される上記信号を輝度信号の低域信号として周波数特性を適切な特性に調整する水平周波数補正信号を生成して周波数補正演算部２１０に出力する。
【０１１２】
また、垂直周波数補正信号生成部２０８は、
（信号ａ）遅延なし信号＋１Ｈ遅延信号（切り替えスイッチ２０６ａの出力）、
（信号ｂ）２Ｈ遅延信号＋３Ｈ遅延信号（切り替えスイッチ２０６ｂの出力）、
（信号ｃ）４Ｈ遅延信号＋５Ｈ遅延信号（切り替えスイッチ２０６ｃの出力）、
を入力する。
【０１１３】
垂直周波数補正信号生成部２０８は、これらの信号から、
垂直周波数補正信号＝（２Ｈ遅延信号＋３Ｈ遅延信号）×２−（（遅延なし信号＋１Ｈ遅延信号）＋（４Ｈ遅延信号＋５Ｈ遅延信号））を生成して、周波数補正演算部２１０に出力する。
【０１１４】
周波数補正演算部２１０は、
水平周波数補正信号生成部２０９から出力される水平周波数補正信号、
垂直周波数補正信号生成部２０８から出力される垂直周波数補正信号、
これらを入力して、適切な周波数補正がされた輝度信号を作り、輝度信号処理部２１１に入力し、γ処理、ピーククリップなどのその他の輝度信号に対する適切な処理を施して、撮像装置の輝度出力信号を生成して出力する。
【０１１５】
次に、プログレッシブ読み出し処理における色信号生成処理について説明する。
ＲＧＢ信号生成部２０７には、撮像素子からの以下の信号が入力される。
（信号ａ）遅延なし信号＋１Ｈ遅延信号（切り替えスイッチ２０６ａの出力）、
（信号ｂ）２Ｈ遅延信号＋３Ｈ遅延信号（切り替えスイッチ２０６ｂの出力）、
（信号ｃ）４Ｈ遅延信号＋５Ｈ遅延信号（切り替えスイッチ２０６ｃの出力）、
これらの信号ａ〜ｃが入力される。
【０１１６】
これらの信号ａ〜ｃは、図３〜図５を参照して説明したプログレッシブ読み出し処理シーケンスにおいて、例えば、
図３の（ｔ３）と図４の（ｔ４）の水平ＣＣＤ転送部１０３の格納値の加算値、
図４の（ｔ４）と図４の（ｔ５）の水平ＣＣＤ転送部１０３の格納値の加算値、
図４の（ｔ５）と図４の（ｔ６）の水平ＣＣＤ転送部１０３の格納値の加算値、
例えばこれらの値となる。
【０１１７】
すなわち、切り替えスイッチ２０６ａ〜２０６ｃの出力は、
（Ｇ＋Ｃｙ），（Ｍｇ＋Ｙｅ），（Ｇ＋Ｃｙ），（Ｍｇ＋Ｙｅ）の繰り返しの出力、
（Ｍｇ＋Ｃｙ），（Ｇ＋Ｙｅ），（Ｍｇ＋Ｃｙ），（Ｇ＋Ｙｅ）の繰り返しの出力、
これらのいずれかの出力となる。
この出力は、図１５を参照して説明したインターレース読み出し実行時の切り替えスイッチ２０６ａ〜２０６ｃの出力と同じである。
【０１１８】
ＲＧＢ信号生成部２０７では、
（信号ａ）遅延なし信号＋１Ｈ遅延信号（切り替えスイッチ２０６ａの出力）、
（信号ｂ）２Ｈ遅延信号＋３Ｈ遅延信号（切り替えスイッチ２０６ｂの出力）、
（信号ｃ）４Ｈ遅延信号＋５Ｈ遅延信号（切り替えスイッチ２０６ｃの出力）、
これらの各信号を入力して、
まず、
（１）（信号ｂ）＝（２Ｈ遅延信号＋３Ｈ遅延信号）、
（２）（信号ａ）＋（信号ｃ）＝（遅延なし信号＋１Ｈ遅延信号）＋（４Ｈ遅延信号＋５Ｈ遅延信号）、
（３）（信号ｂ）×２＋（（信号ａ）＋（信号ｃ））＝（２Ｈ遅延信号＋３Ｈ遅延信号）×２＋（（遅延なし信号＋１Ｈ遅延信号）＋（４Ｈ遅延信号＋５Ｈ遅延信号））
これらの３種類の信号を生成する。
【０１１９】
（１）（信号ｂ）＝（２Ｈ遅延信号＋３Ｈ遅延信号）＝２Ｒ−Ｇの行では、
（２）（信号ａ）＋（信号ｃ）＝（遅延なし信号＋１Ｈ遅延信号）＋（４Ｈ遅延信号＋５Ｈ遅延信号）＝（２Ｂ−Ｇ）×２、
（３）（信号ｂ）×２＋（（信号ａ）＋（信号ｃ））＝（２Ｈ遅延信号＋３Ｈ遅延信号）×２＋（（遅延なし信号＋１Ｈ遅延信号）＋（４Ｈ遅延信号＋５Ｈ遅延信号））＝（２Ｒ＋３Ｇ＋２Ｂ）×２、
これらの信号を取得することができる。
【０１２０】
また、
（１）（信号ｂ）＝（２Ｈ遅延信号＋３Ｈ遅延信号）＝２Ｂ−Ｇの行では、
（２）（信号ａ）＋（信号ｃ）＝（遅延なし信号＋１Ｈ遅延信号）＋（４Ｈ遅延信号＋５Ｈ遅延信号）＝（２Ｒ−Ｇ）×２、
（３）（信号ｂ）×２＋（（信号ａ）＋（信号ｃ））＝（２Ｈ遅延信号＋３Ｈ遅延信号）×２＋（（遅延なし信号＋１Ｈ遅延信号）＋（４Ｈ遅延信号＋５Ｈ遅延信号））＝（２Ｒ＋３Ｇ＋２Ｂ）×２、
これらの信号を取得することができる。
【０１２１】
従って、いずれの場合も、２Ｒ−Ｇ、２Ｂ−Ｇ、２Ｒ＋３Ｇ＋２Ｂの３種類の信号が得られることになり、以下の関係式に従って色信号Ｒ，Ｇ，Ｂを算出することができる。
Ｒ＝Ｒｍａｔ１×（２Ｒ−Ｇ）信号＋Ｒｍａｔ２×（２Ｂ−Ｇ）信号＋Ｒｍａｔ３×（２Ｒ＋３Ｇ＋２Ｂ）信号
Ｇ＝Ｇｍａｔ１×（２Ｒ−Ｇ）信号＋Ｇｍａｔ２×（２Ｂ−Ｇ）信号＋Ｇｍａｔ３×（２Ｒ＋３Ｇ＋２Ｂ）信号
Ｂ＝Ｂｍａｔ１×（２Ｒ−Ｇ）信号＋Ｂｍａｔ２×（２Ｂ−Ｇ）信号＋Ｂｍａｔ３×（２Ｒ＋３Ｇ＋２Ｂ）信号
なお、Ｒｍａｔ１〜Ｂｍａｔ３はあらかじめ規定したパラメータである。
【０１２２】
ＲＧＢ信号生成部２０７では、
（信号ａ）遅延なし信号＋１Ｈ遅延信号（切り替えスイッチ２０６ａの出力）、
（信号ｂ）２Ｈ遅延信号＋３Ｈ遅延信号（切り替えスイッチ２０６ｂの出力）、
（信号ｃ）４Ｈ遅延信号＋５Ｈ遅延信号（切り替えスイッチ２０６ｃの出力）、
これらの各信号を入力して、上記演算を行ってＲＧＢ信号を生成して、色信号処理部２１２に生成したＲＧＢ信号を出力する。
色信号処理部２１２は、入力信号に対するホワイトバランス（ＷＢ）制御、γ処理、色差信号生成処理等の色信号への必要な処理を施して、撮像装置の出力信号としての色信号を生成して出力する。
【０１２３】
図１６に示すように、撮像素子２０２からの読み出し方式が、画素単位の読み出しを行うプログレッシブ読み出し方式に設定されている場合、
撮像素子からの遅延なし信号と、遅延回路によって一水平ライン出力期間遅延された第１の遅延信号を加算器によって加算した第１の加算信号と、
２つの遅延回路を経由して生成された二水平ライン出力期間遅延された第２の遅延信号と、３つの遅延回路を経由して生成された三水平ライン出力期間遅延された第３の遅延信号を加算器によって加算した第２の加算信号と、
４つの遅延回路を経由して生成された四水平ライン出力期間遅延された第４の遅延信号と、５つの遅延回路を経由して生成された五水平ライン出力期間遅延された第５の遅延信号を加算器によって加算した第３の加算信号を信号処理部２７０に並列出力する。
【０１２４】
信号処理部２７０は、垂直周波数補正信号生成部２０８とＲＧＢ信号生成部２０７において撮像素子２０２の出力する複数の隣接水平ラインの出力を信号制御部２５０から並列に入力し、水平周波数補正信号生成部２０９は、撮像素子の出力する１つの水平ラインの加算信号を信号制御部２５０から入力して処理を行う。
【０１２５】
図１４〜図１６を参照して説明したように、本発明の撮像装置では、信号制御部２５０において、信号処理部２７０に出力する信号をインターレース読み出し時とプログレッシブ読み出し時いずれにおいても同じ態様のデータとして出力する構成としている。
【０１２６】
従って、共通の１つの信号処理部２７０を用いて、インターレース読み出し時とプログレッシブ読み出しの２つの異なる読み出し方式に従った読み出し信号に対する同一の信号処理を行うことが可能となる。この構成により、読み出し方式が異なっても垂直解像度を含めて、同等な特性の輝度信号、色信号を持つ画像を生成して出力することが可能となる。すなわち、読み出し方式が異なっても出力信号に差分を発生させず均一な画質を持つ画像を出力することが可能となる。
【０１２７】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１２８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１２９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１３０】
以上、説明したように、本発明の一実施例の構成によれば、信号制御部における信号制御により、インターレース読み出し時とプログレッシブ読み出し時いずれにおいても信号処理部に出力する信号を同じ色情報からなる信号に設定する構成としている。従って、共通の１つの信号処理部を用いて、インターレース読み出し時とプログレッシブ読み出しの２つの異なる読み出し方式に従った読み出し信号に対する同一の信号処理を行うことが可能となり、読み出し方式が異なっても垂直解像度を含めて、同等な特性の輝度信号、色信号を持つ画像を生成して出力することが可能となる。すなわち、読み出し方式が異なっても出力信号に差分を発生させず均一な画質を持つ画像を出力することが可能となる。さらに、本発明により、回路規模の削減、消費電力の低減、コスト低減等のメリットも得られる。
【符号の説明】
【０１３１】
１０１  画素
１０２  垂直ＣＣＤ転送部
１０３  水平ＣＣＤ転送部
１０４  出力部
１０５  出力端子
２００  撮像装置
２０１  レンズ
２０２  撮像素子
２０３  アナログフロントエンド
２０４ａ〜ｅ  遅延回路
２０５ａ〜ｃ  加算器
２０６ａ〜ｃ  切り替えスイッチ
２０７  ＲＧＢ信号生成部
２０８  垂直周波数補正信号生成部
２０９  水平周波数補正信号生成部
２１０  周波数補正演算部
２１１  輝度信号処理部
２１２  色信号処理部
２１３  タイミングジェネレータ
２１４  マイコン（制御部）
２１５  入力部
２５０  信号制御部
２７０  信号処理部
【図１】
2012049891.tif 000003
【図２】
2012049891.tif 000004
【図３】
2012049891.tif 000005
【図４】
2012049891.tif 000006
【図５】
2012049891.tif 000007
【図６】
2012049891.tif 000008
【図７】
2012049891.tif 000009
【図８】
2012049891.tif 000010
【図９】
2012049891.tif 000011
【図１０】
2012049891.tif 000012
【図１１】
2012049891.tif 000013
【図１２】
2012049891.tif 000014
【図１３】
2012049891.tif 000015
【図１４】
2012049891.tif 000016
【図１５】
2012049891.tif 000017
【図１６】
2012049891.tif 000018